【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１の無線受信機と第２の無線受信機とを介して受信するように構成された少なくとも１つのインターフェースと、ここにおいて、前記少なくとも１つのインターフェースは、前記第１の無線受信機がスリープモードにある間に前記第２の無線受信機を介して他の装置からページングフレームを受信し、前記ページングフレームは、他のタイプのフレームのフレーム検査シーケンス（ＦＣＳ）フィールドよりも短いＦＣＳフィールドを有する、送信機アドレス（ＴＡ）フィールドをもたない媒体アクセス制御（ＭＡＣ）フレームを備える、
仮想ページングフレームのＴＡに基づいて、ローカルＦＣＳ値を計算することと、
前記ローカルＦＣＳ値を前記ページングフレーム中で受信された前記ＦＣＳフィールドの値と比較することと、
前記比較に基づいて、前記他の装置が前記ページングフレームの適切な送信機であるかどうかを決定することと、
前記ページングフレーム中に含まれる第１のフィールドに基づいて１つまたは複数のアクションを行う
ように構成された処理システムと
を備える、ワイヤレス通信のための装置。
【請求項２】
前記１つまたは複数のアクションは、前記第１の無線受信機が前記スリープモードから抜け出ることを引き起こすこと、または前記装置のローカルクロックを調整することのうちの少なくとも１つを備える、請求項１に記載の装置。
【請求項３】
前記少なくとも１つのインターフェースは、前記第１の無線受信機を介して、構成を受信するように構成され、
前記処理システムは、前記構成に基づいてページングフレームを監視するように構成された、
請求項１に記載の装置。
【請求項４】
前記少なくとも１つのインターフェースは、能力交換の一部として、前記他の装置が低電力ページングフレームを送信するという指示を前記他の装置から受信するように構成され、
前記処理システムは、前記指示に基づいて低電力ページングフレームを監視するように構成された、
請求項１に記載の装置。
【請求項５】
前記１つまたは複数のアクションは、前記装置のローカルクロックを調整することを備え、
前記他の装置は、アクセスポイント（ＡＰ）を備え、
前記装置の前記ローカルクロックは、前記ページングフレーム中の第２のフィールドのクロック値に基づいて調整され、
前記クロック値は、前記ＡＰに関連付けられたクロックの値の最下位ビット（ＬＳＢ）を備える、
請求項１に記載の装置。
【請求項６】
前記第１のフィールドは、前記他の装置がＷｉ−Ｆｉ  Ｄｉｒｅｃｔが可能であることを示し、
前記１つまたは複数のアクションは、前記第１の無線受信機が前記スリープモードから抜け出ることを引き起こすことを備え、これで、前記装置は、Ｗｉ−Ｆｉ  Ｄｉｒｅｃｔを介して前記他の装置と通信することができる、
請求項１に記載の装置。
【請求項７】
前記第１のフィールドは、前記他の装置がソーシャルグループに関連付けられることを示し、
前記１つまたは複数のアクションは、前記第１の無線受信機が前記スリープモードから抜け出ることを引き起こすことを備え、これで、前記装置は、前記ソーシャルグループの１つまたは複数のメンバーによって送られた発見フレームをリッスンすることができる、
請求項１に記載の装置。
【請求項８】
前記ＭＡＣフレームは、前記装置が前記ソーシャルグループの前記１つまたは複数のメンバーによって送られた１つまたは複数の発見フレームをリッスンするための発見ウィンドウに対応する、前記ページングフレームの送信時間に対する、時間オフセットを示す第２のフィールドをさらに有し、
前記処理システムは、前記発見ウィンドウ中に前記１つまたは複数の発見フレームをリッスンするように構成された、
請求項７に記載の装置。
【請求項９】
前記ＭＡＣフレームは、関連付け支援情報をもつ第２のフィールドをさらに有し、
前記１つまたは複数のアクションは、前記第１の無線受信機が、前記関連付け支援情報を使用して前記他の装置との関連付けを試みるために前記スリープモードから抜け出ることを引き起こすことを備える、
請求項１に記載の装置。
【請求項１０】
前記関連付け支援情報は、前記他の装置のサービスセットＩＤ（ＳＳＩＤ）を備え、
前記処理システムは、前記他の装置の前記ＳＳＩＤが前記装置において記憶された関係するＳＳＩＤのリスト中にある場合にのみ前記他の装置との関連付けを行うように構成された、
請求項９に記載の装置。
【請求項１１】
前記関連付け支援情報は、前記他の装置によってサポートされる１つまたは複数の周波数帯域を備え、
前記処理システムは、前記装置が前記１つまたは複数の周波数帯域のうちの少なくとも１つをサポートすると決定するようにさらに構成され、
前記１つまたは複数のアクションは、前記決定に基づいて前記第１の無線受信機が前記スリープモードから抜け出ることを引き起こすことを備える、
請求項９に記載の装置。
【請求項１２】
前記ＭＡＣフレームは、前記他の装置がそれに関連付けられたネットワークを識別する値に設定されたネットワークワイド識別子（ＮＷＩＤ）フィールドと受信機アドレス（ＲＡ）フィールドとをさらに有し、
前記処理システムは、前記ＮＷＩＤフィールドの値が前記ＲＡフィールドの値に一致する場合にのみ前記１つまたは複数のアクションを行うように構成された、
請求項１に記載の装置。
【請求項１３】
前記ＮＷＩＤフィールドは、局識別子（ＳＩＤ）、サービスセット識別子（ＳＳＩＤ）、ＳＩＤのハッシュ化バージョン、またはＳＳＩＤのハッシュ化バージョンのうちの１つを備え、
前記処理システムは、前記ＳＩＤ、前記ＳＳＩＤ、前記ＳＩＤの前記ハッシュ化バージョン、または前記ＳＳＩＤの前記ハッシュ化バージョンが前記ＲＡフィールドの前記値に一致する場合にのみ、前記１つまたは複数のアクションを行うように構成された、
請求項１２に記載の装置。
【請求項１４】
装置によるワイヤレス通信のための方法であって、
第１の無線受信機と第２の無線受信機とを介して受信することと、ここにおいて、前記装置は、前記第１の無線受信機がスリープモードにある間に前記第２の無線受信機を介して他の装置からページングフレームを受信し、前記ページングフレームは、他のタイプのフレームのフレーム検査シーケンス（ＦＣＳ）フィールドよりも短いＦＣＳフィールドを有する、送信機アドレス（ＴＡ）フィールドをもたない媒体アクセス制御（ＭＡＣ）フレームを備える、
仮想ページングフレームのＴＡに基づいて、ローカルＦＣＳ値を計算することと、
前記ローカルＦＣＳ値を前記ページングフレーム中で受信された前記ＦＣＳフィールドの値と比較することと、
前記比較に基づいて、前記他の装置が前記ページングフレームの適切な送信機であるかどうかを決定することと、
前記ページングフレーム中に含まれる第１のフィールドに基づいて１つまたは複数のアクションを行うことと
を備える、方法。
【請求項１５】
前記１つまたは複数のアクションは、前記第１の無線受信機が前記スリープモードから抜け出ることを引き起こすこと、または前記装置のローカルクロックを調整することのうちの少なくとも１つを備える、請求項１４に記載の方法。
【請求項１６】
前記第１の無線受信機を介して、構成を受信することと、
前記構成に基づいてページングフレームを監視することと
をさらに備える、請求項１４に記載の方法。
【請求項１７】
能力交換の一部として、前記他の装置が低電力ページングフレームを送信するという指示を前記他の装置から受信することと、
前記指示に基づいて低電力ページングフレームを監視することと
をさらに備える、請求項１４に記載の方法。
【請求項１８】
前記１つまたは複数のアクションは、前記装置のローカルクロックを調整することを備え、
前記他の装置は、アクセスポイント（ＡＰ）を備え、
前記装置の前記ローカルクロックは、前記ページングフレーム中の第２のフィールドのクロック値に基づいて調整され、
前記クロック値は、前記ＡＰに関連付けられたクロックの値の最下位ビット（ＬＳＢ）を備える、
請求項１４に記載の方法。
【請求項１９】
前記第１のフィールドは、前記他の装置がＷｉ−Ｆｉ  Ｄｉｒｅｃｔが可能であることを示し、
前記１つまたは複数のアクションは、前記第１の無線受信機が前記スリープモードから抜け出ることを引き起こすことを備え、これで、前記装置は、Ｗｉ−Ｆｉ  Ｄｉｒｅｃｔを介して前記他の装置と通信することができる、
請求項１４に記載の方法。
【請求項２０】
前記第１のフィールドは、前記他の装置がソーシャルグループに関連付けられることを示し、
前記１つまたは複数のアクションは、前記第１の無線受信機が前記スリープモードから抜け出ることを引き起こすことを備え、これで、前記装置は、前記ソーシャルグループの１つまたは複数のメンバーによって送られた発見フレームをリッスンすることができる、
請求項１４に記載の方法。
【請求項２１】
前記ＭＡＣフレームは、前記装置が前記ソーシャルグループの前記１つまたは複数のメンバーによって送られた１つまたは複数の発見フレームをリッスンするための発見ウィンドウに対応する、前記ページングフレームの送信時間に対する、時間オフセットを示す第２のフィールドをさらに有し、
前記方法は、
前記発見ウィンドウ中に前記１つまたは複数の発見フレームをリッスンすることをさらに備える、請求項２０に記載の方法。
【請求項２２】
前記ＭＡＣフレームは、関連付け支援情報をもつ第２のフィールドをさらに有し、
前記１つまたは複数のアクションは、前記第１の無線受信機が、前記関連付け支援情報を使用して前記他の装置との関連付けを試みるために前記スリープモードから抜け出ることを引き起こすことを備える、
請求項１４に記載の方法。
【請求項２３】
前記関連付け支援情報は、前記他の装置のサービスセットＩＤ（ＳＳＩＤ）を備え、
前記方法は、
前記他の装置の前記ＳＳＩＤが前記装置において記憶された関係するＳＳＩＤのリスト中にある場合にのみ前記他の装置との関連付けを行うことをさらに備える、請求項２２に記載の方法。
【請求項２４】
前記関連付け支援情報は、前記他の装置によってサポートされる１つまたは複数の周波数帯域を備え、
前記方法は、
前記装置が前記１つまたは複数の周波数帯域のうちの少なくとも１つをサポートすると決定することをさらに備え、前記１つまたは複数のアクションは、前記決定に基づいて前記第１の無線受信機が前記スリープモードから抜け出ることを引き起こすことを備える、
請求項２２に記載の方法。
【請求項２５】
前記ＭＡＣフレームは、前記他の装置がそれに関連付けられたネットワークを識別する値に設定されたネットワークワイド識別子（ＮＷＩＤ）フィールドと受信機アドレス（ＲＡ）フィールドとをさらに有し、
前記１つまたは複数のアクションを前記行うことは、前記ＮＷＩＤフィールドの値が前記ＲＡフィールドの値に一致する場合にのみ前記１つまたは複数のアクションを行うことを備える、
請求項１４に記載の方法。
【請求項２６】
前記ＮＷＩＤフィールドは、局識別子（ＳＩＤ）、サービスセット識別子（ＳＳＩＤ）、ＳＩＤのハッシュ化バージョン、またはＳＳＩＤのハッシュ化バージョンのうちの１つを備え、
前記１つまたは複数のアクションを前記行うことは、前記ＳＩＤ、前記ＳＳＩＤ、前記ＳＩＤの前記ハッシュ化バージョン、または前記ＳＳＩＤの前記ハッシュ化バージョンが前記ＲＡフィールドの前記値に一致する場合にのみ、前記１つまたは複数のアクションを行うことを備える、
請求項２５に記載の方法。
【請求項２７】
装置によるワイヤレス通信のための、コンピュータ実行可能コードを記憶した非一時的コンピュータ可読媒体であって、前記コードは、
第１の無線受信機と第２の無線受信機とを介して受信することと、ここにおいて、前記装置は、前記第１の無線受信機がスリープモードにある間に前記第２の無線受信機を介して他の装置からページングフレームを受信し、前記ページングフレームは、他のタイプのフレームのフレーム検査シーケンス（ＦＣＳ）フィールドよりも短いＦＣＳフィールドを有する、送信機アドレス（ＴＡ）フィールドをもたない媒体アクセス制御（ＭＡＣ）フレームを備える、
仮想ページングフレームのＴＡに基づいて、ローカルＦＣＳ値を計算することと、
前記ローカルＦＣＳ値を前記ページングフレーム中で受信された前記ＦＣＳフィールドの値と比較することと、
前記比較に基づいて、前記他の装置が前記ページングフレームの適切な送信機であるかどうかを決定することと、
前記ページングフレーム中に含まれる他のフィールドに基づいて１つまたは複数のアクションを行うことと
を行うためのものである、非一時的コンピュータ可読媒体。
【請求項２８】
アクセス端末であって、
第１の無線受信機と、
前記第１の無線受信機がスリープモードにある間にデバイスからページングフレームを受信するように構成された第２の無線受信機と、ここにおいて、前記ページングフレームは、他のタイプのフレームのフレーム検査シーケンス（ＦＣＳ）フィールドよりも短いＦＣＳフィールドを有する、送信機アドレス（ＴＡ）フィールドをもたない媒体アクセス制御（ＭＡＣ）フレームを備える、
仮想ページングフレームのＴＡに基づいて、ローカルＦＣＳ値を計算することと、
前記ローカルＦＣＳ値を前記ページングフレーム中で受信された前記ＦＣＳフィールドの値と比較することと、
前記比較に基づいて、前記デバイスが前記ページングフレームの適切な送信機であるかどうかを決定することと、
前記ページングフレーム中に含まれる他のフィールドに基づいて１つまたは複数のアクションを行うことと
を行うように構成された処理システムと
を備える、アクセス端末。
【請求項２９】
前記第１のフィールドは、コマンドフィールドである、請求項１に記載の装置。
【請求項３０】
前記第１のフィールドは、コマンドフィールドである、請求項１４に記載の方法。
【請求項３１】
前記他のフィールドは、コマンドフィールドである、請求項２７に記載の非一時的コンピュータ可読媒体。
【請求項３２】
前記他のフィールドは、コマンドフィールドである、請求項２８に記載のアクセス端末。